(57)【特許請求の範囲】
【請求項１】
鋼材からなる帯状部材であって下部がＵ字状に折り曲げられ、上端部に係合孔を備えてなる、被係止物を係止するフック本体と、
前面に楕円形の嵌合凹部を有し、裏面に前記フック本体の上端部が嵌合する嵌合溝とその嵌合溝に嵌合された前記フック本体の上端部の係合孔に係合する係合突起とが形成されて、前記フック本体の上端部に面一に取り付けられる樹脂製の取付基板と、
前記取付基板の裏面に設けられてその取付基板とで前記フック本体の上端部を挟む接着剤層と、
前記取付基板の嵌合凹部に嵌合可能な外形楕円状の頭部の裏面に左右一対のピンを突設してなる差込ピン体とを備えたフックにおいて、
前記差込ピン体は、前記ピンを取付基板側に向けて、前記接着剤層を介してコンクリート壁等に仮止めした取付基板の前記嵌合凹部に嵌合した前記頭部を叩くことによって前記一対のピンが前記取付基板の嵌合溝に嵌合されたフック本体の上端部の両側でコンクリート壁等に打ち込まれ、かつ、ピンの打ち込み時に前記頭部が前記嵌合凹部でガイドされるものであることを特徴とするフック。
【請求項２】
前記接着剤層がホットメルトからなる請求項１に記載のフック。
【請求項３】
前記差込ピン体の頭部が樹脂製であり、その頭部に対して前記ピンがインサート成形により一体化されている請求項１又は請求項２のいずれかに記載のフック。
【発明の詳細な説明】
【０００１】
【発明の属する技術分野】
この発明は、コンクリート壁やブロック壁へ取付可能なフックに関する。
【０００２】
【従来の技術】
この種のフックの従来例を図５に示す。このフック２１は、被係止物を係止するフック本体２２の上端部に取付基板２３が一体に設けられており、取付基板２３の裏面には両面テープなどからなる仮止め用の接着剤層２４が設けられている。取付基板２３は例えば樹脂製とされていて、基板前面から裏面に貫通する複数のピン挿通孔２５を有し、これらのピン挿通孔２５に取り付けのためのピン２６を挿通させる。
【０００３】
このフック２１を、例えばコンクリート壁１２に取り付ける場合、以下の手順で行われる。先ず、取付基板２３をその裏面の接着剤層２４を介してコンクリート壁１２に仮止めする。この仮止め状態のもとで、取付基板２３のピン挿通孔２５にピン２６を差し込み、ピン２６の頭部を直接叩くことによりピン２６をコンクリート壁１２に打ち込んで取付基板２３をコンクリート壁１２に固定する。
【０００４】
【発明が解決しようとする課題】
しかし、上記構成のフック２１の場合、ピン２６の頭部を直接叩いてピン２６をコンクリート壁１２に打ち込むので、ピン２６が曲がるなどして適正にフック２１を取り付けできないことがあった。
【０００５】
この発明は、このような課題を解消し、コンクリート壁やブロック壁へ適正に取り付けることのできるフックを提供することを目的とする。
【０００６】
【課題を解決するための手段】
この発明のフックは、鋼材からなる帯状部材であって下部がＵ字状に折り曲げられ、上端部に係合孔を備えてなる、被係止物を係止するフック本体と、
前面に楕円形の嵌合凹部を有し、裏面に前記フック本体の上端部が嵌合する嵌合溝とその嵌合溝に嵌合された前記フック本体の上端部の係合孔に係合する係合突起とが形成されて、前記フック本体の上端部に面一に取り付けられる樹脂製の取付基板と、
前記取付基板の裏面に設けられてその取付基板とで前記フック本体の上端部を挟む接着剤層と、
前記取付基板の嵌合凹部に嵌合可能な外形楕円状の頭部の裏面に左右一対のピンを突設してなる差込ピン体とを備えたフックにおいて、
前記差込ピン体は、前記ピンを取付基板側に向けて、前記接着剤層を介してコンクリート壁等に仮止めした取付基板の前記嵌合凹部に嵌合した前記頭部を叩くことによって前記一対のピンが前記取付基板の嵌合溝に嵌合されたフック本体の上端部の両側でコンクリート壁等に打ち込まれ、かつ、ピンの打ち込み時に前記頭部が前記嵌合凹部でガイドされるものである。
この構成によると、接着剤層を介してコンクリート壁等に取付基板を仮止めした状態で、取付基板の前面の嵌合凹部に差込ピン体の頭部を嵌合させて、頭部を叩くと、嵌合凹部による頭部のガイド作用により、差込ピン体のピンは曲がることなく取付基板を貫通してコンクリート壁に打ち込まれ、フックをコンクリート壁に適正に取り付けることができる。
【０００７】
前記フックにおいて、前記取付基板は樹脂製としても良い。この構成の場合、嵌合凹部を簡単に成形でき、差込ピン体のピンも容易に取付基板を貫通できる。
【０００８】
また、前記フックにおいて、前記接着剤層がホットメルトからなるものとしても良い。この構成の場合、ライター等で接着剤層を加熱したときに限り接着剤層が接着可能となるので、製品の流通時など取付時以外の場合に接着剤層が他部に付着するのを防止する特別な対策が要らず、取扱いが容易になる。
【０００９】
さらに、前記フックにおいて、前記差込ピン体の頭部を樹脂製とし、その頭部に対して前記ピンをインサート成形により一体化しても良い。この構成の場合、差込ピン体の頭部に対するピンの一体化を容易に行うことができる。
【００１０】
【発明の実施の形態】
この発明の一実施形態を図１ないし図４と共に説明する。図１はこの実施形態に係るフックの取付前の状態を示す部分破断側面図である。このフック１は、コンクリート壁やブロック壁に取り付けられるものであって、被係止物を係止するフック本体２と、このフック本体２の上端部に取り付けられる取付基板３と、この取付基板３の裏面に設けられる接着剤層４と、差込ピン体５とで構成されている。
【００１１】
フック本体２は、例えばステンレス等の鋼材からなる帯状部材であって、その下部がＵ字状に折り曲げられ、上端部には図３に示すように係合孔６が形成されている。取付基板３は、図２（Ａ），（Ｂ）に正面図および縦断面図で示すように、外形を楕円状とした樹脂製品であって、その前面には外形と同心状に楕円形の嵌合凹部７が形成されている。また、取付基板３の裏面には、前記フック本体２の上端部が嵌合する嵌合溝８が、下端から上端近傍に向けて形成され、その嵌合溝８の一部にはフック本体２の係合孔６に係合する係合突起９が形成されている。前記係合突起９に前記係合孔６が係合する状態で、フック本体２の上端部を前記嵌合溝８に嵌合させることで、フック本体２の上端部に取付基板３が取り付けられ、この取付状態で取付基板３の裏面とフック本体２の背面とは面一に揃えられる。さらに、取付基板３の裏面には、ホットメルトからなる接着剤層４が設けられる。この接着剤層４と取付基板３とでフック本体２上端部が挟まれることで、取付基板３に対してフック本体２は簡単に外れてしまわないように取り付けられる。
【００１２】
差込ピン体５は、前記取付基板３の嵌合凹部７に嵌合可能な外形楕円状の頭部１０と、この頭部１０に一体化され頭部１０の背面から突出する左右一対の金属製ピン１１，１１とからなる。前記頭部１０は樹脂製とされ、インサート成形により前記ピン１１が頭部１０に一体化されている。
【００１３】
図４（Ａ）〜（Ｂ）は、前記構成のフック１を、コンクリート壁１２に取り付けた状態を示す正面図，縦断面図および横断面図である。その取付けは以下の手順で行われる。先ず、取付基板３の裏面の接着剤層４をライターの火等で加熱溶融することで、接着剤層４を介して取付基板３をコンクリート壁１２に仮止めする。
次に、差込ピン体５のピン１１を取付基板３側に向けて、その差込ピン体５の頭部１０を取付基板３の嵌合凹部７に嵌合させるとともに、取付基板３に形成された差込ピン挿通孔１１Ａにピン１１を挿通させ、その頭部１０を叩いてピン１１をコンクリート壁１２に打ち込む。これにより、フック１がコンクリート壁１２に取り付けられる。
この場合、差込ピン体５の頭部１０が取付基板３の嵌合凹部７でガイドされるので、ピン１１の打ち込み時に、ピン１１が曲がることがなく、フック１の取り付けを適正に行うことができる。
【００１４】
また、前記取付基板３は樹脂製としているので、前記取付基板３に差込ピン挿通孔１１Ａが形成されていなくても、差込ピン体５の頭部１０を取付基板３の嵌合凹部７に嵌合させてピン１１の頭部１０を叩いた場合においても、差込ピン体５のピン１１を容易に取付基板３を貫通させ、ピン１１をコンクリート壁１２に打ち込むことができる。
さらに、前記接着剤層４がホットメルトからなるので、ライター等で接着剤層４を加熱したときに限り接着剤層４が接着可能となり、製品の流通時など取付時以外の場合に接着剤層４が他部に付着するのを防止する特別な対策が要らず、取扱いが容易になる。
また、差込ピン体５の頭部１０も樹脂製としているので、その頭部１０に対してピン１１をインサート成形により容易に一体化することができる。
【００１５】
なお、差込みピン体５のピン１１の数は２本に限らない。
【００１６】
【発明の効果】
この発明のフックは、鋼材からなる帯状部材であって下部がＵ字状に折り曲げられ、上端部に係合孔を備えてなる、被係止物を係止するフック本体と、前面に楕円形の嵌合凹部を有し、裏面に前記フック本体の上端部が嵌合する嵌合溝とその嵌合溝に嵌合された前記フック本体の上端部の係合孔に係合する係合突起とが形成されて、前記フック本体の上端部に面一に取り付けられる樹脂製の取付基板と、前記取付基板の裏面に設けられてその取付基板とで前記フック本体の上端部を挟む接着剤層と、前記取付基板の嵌合凹部に嵌合可能な外形楕円状の頭部の裏面に左右一対のピンを突設してなる差込ピン体とを備えたフックにおいて、前記差込ピン体は、前記ピンを取付基板側に向けて、前記接着剤層を介してコンクリート壁等に仮止めした取付基板の前記嵌合凹部に嵌合した前記頭部を叩くことによって前記一対のピンが前記取付基板の嵌合溝に嵌合されたフック本体の上端部の両側でコンクリート壁等に打ち込まれ、かつ、ピンの打ち込み時に前記頭部が前記嵌合凹部でガイドされるものであるため、取付基板の嵌合凹部による差込ピン体頭部のガイド作用により、差込ピン体のピンは曲がることなくコンクリート壁に打ち込まれ、フックをコンクリート壁等に適正に取り付けることができる。
この構成において、前記取付基板を樹脂製とした場合は、嵌合凹部を簡単に成形でき、差込ピン体のピンも容易に取付基板を貫通させて、差込ピン体のピンを曲がることなくコンクリート壁に打ち込むことができる。
また、この構成において、前記接着剤層がホットメルトからなるものとした場合は、ライター等で接着剤層を加熱したときに限り接着剤層が接着可能となるので、製品の流通時など取付時以外の場合に接着剤層が他部に付着するのを防止する特別な対策が要らず、取扱いが容易になる。
さらに、この構成において、前記差込ピン体の頭部が樹脂製で、その頭部に対して前記ピンがインサート成形により一体化されているものとした場合は、差込ピン体の頭部に対するピンの一体化を容易に行うことができる。
【図面の簡単な説明】
【図１】  この発明の一実施形態に係るフックの取付前の状態を示す部分破断側面図である。
【図２】  （Ａ）は同フックにおける取付基板の正面図、（Ｂ）はその縦断面図である。
【図３】  同フックにおけるフック本体の正面図である。
【図４】  （Ａ）は同フックのコンクリート壁への取付状態を示す正面図、（Ｂ）はその縦断面図、（Ｃ）はその横断面図である。
【図５】  （Ａ）は従来例の取付前の状態を示す斜視図、（Ｂ）はその取付状態を示す縦断面図である。
【符号の説明】
１  フック
２  フック本体
３  取付基板
４  接着剤層
５  差込ピン体
７  嵌合凹部
１０  頭部
１１  ピン
【図１】
0003637536.tif 000002
【図２】
0003637536.tif 000003
【図３】
0003637536.tif 000004
【図４】
0003637536.tif 000005
【図５】
0003637536.tif 000006